(57)【要約】【課題】他のユーザとの視聴計画の重複を回避することができ、希望どおりの視聴計画を作成することが可能な映像処理装置を提供する。【解決手段】映像処理装置１は、受信部であるチューナ部２、表示部４、記録部５、通信部６、操作部７、制御部８及び視聴計画処理部１１を備える。制御部８は、ユーザが登録しようとしている視聴番組の視聴時期が視聴計画に既に登録済みの視聴番組の視聴時期と重複する場合、ネットワーク１１０に接続された他の映像処理装置１１２、１１３のうちユーザが登録しようとした視聴時期に視聴番組が視聴可能な映像処理装置の候補となる映像処理装置１１２、１１３を記載した画面データ信号を生成して表示部４に対して出力し、ユーザが選択した映像処理装置１１２に対して視聴番組の視聴計画に係る情報とその視聴計画の登録指令とを通信部６を介して送信する。【選択図】図１
2015019206.tif 000002
【特許請求の範囲】
【請求項１】
自機を含む複数の映像処理装置が存在するネットワーク環境に電気的に接続された映像処理装置であって、
受信部と、
前記受信部によって受信された放送コンテンツまたは記録媒体に記録された記録コンテンツのなかからユーザが任意に選択した視聴コンテンツ及びその視聴時期を登録した視聴計画とその視聴計画の画面データとを作成する視聴計画処理部と、
前記視聴コンテンツの視聴に係る操作と前記視聴コンテンツ及びその視聴時期の前記視聴計画への登録に係る操作とを受け付ける操作部と、
前記ネットワーク環境に接続された他の前記映像処理装置と通信する通信部と、
前記視聴計画に係る画面データ信号を生成して出力する制御部と、
を備え、
前記制御部が、ユーザが登録しようとしている前記視聴コンテンツの視聴時期が前記視聴計画に既に登録済みの前記視聴コンテンツの視聴時期と重複する場合、前記ネットワーク環境に接続された他の前記映像処理装置のうちユーザが登録しようとした前記視聴時期に前記視聴コンテンツが視聴可能な映像処理装置の候補となる前記映像処理装置を記載した画面データ信号を生成して出力し、前記候補となる前記映像処理装置のなかからユーザが選択した前記映像処理装置に対して前記視聴コンテンツの視聴計画に係る情報とその視聴計画の登録指令とを前記通信部を介して送信することを特徴とする映像処理装置。
【請求項２】
複数の前記放送コンテンツを前記記録コンテンツとして記録する記録部を備えることを特徴とする請求項１に記載の映像処理装置。
【請求項３】
前記視聴コンテンツの前記視聴計画への登録においてユーザ毎に優先順位を設けたことを特徴とする請求項１または請求項２に記載の映像処理装置。
【請求項４】
前記複数の映像処理装置のうち一の前記映像処理装置の前記視聴計画に登録された前記視聴コンテンツと他の前記映像処理装置の前記視聴計画に登録された前記視聴コンテンツとの入れ替えが可能であることを特徴とする請求項１〜請求項３のいずれか１項に記載の映像処理装置。
【発明の詳細な説明】
【技術分野】
【０００１】
本発明は映像処理装置に関する。
【背景技術】
【０００２】
従来の映像処理装置は、放送局やインターネットなどから提供される放送コンテンツの視聴が可能である。さらに、従来の映像処理装置には、放送コンテンツの記録と、再生とが可能なものもある。例えば、ユーザは映像処理装置に放送コンテンツの記録の予約設定などをしておき、後刻好きな時間に記録したコンテンツ（以下、記録コンテンツと称することがある）を再生して視聴することができる。このような従来の映像処理装置が例えば特許文献１に開示されている。
【０００３】
特許文献１に記載された従来の映像処理装置（コンテンツ記録再生制御装置）は今後放送される放送コンテンツと、既に記録されている記録コンテンツとについて、ユーザが視聴したい番組の情報を画面上で時間軸に沿って配列して独自の視聴計画を作成できる。これにより、ユーザはコンテンツの放送時間に拘束されず、コンテンツを自由に視聴することができる。
【先行技術文献】
【特許文献】
【０００４】
【特許文献１】特開２００２−２９０８８６号公報
【発明の概要】
【発明が解決しようとする課題】
【０００５】
しかしながら、上記従来の映像処理装置は単一のユーザに係る視聴計画しか提供しておらず、複数のユーザの視聴計画に対応していない。したがって、ユーザが視聴を登録しようとしているコンテンツ（以下、視聴コンテンツと称することがある）の視聴時期が、他のユーザが視聴計画に既に登録済みの視聴コンテンツの視聴時期と重複する場合、登録しようとしている視聴コンテンツを視聴計画に登録することができない。
【０００６】
本発明は、上記の点に鑑みなされたものであり、他のユーザとの視聴計画の重複を回避することができ、希望どおりの視聴計画を作成することが可能な映像処理装置を提供することを目的とする。
【課題を解決するための手段】
【０００７】
上記の課題を解決するため、本発明は、自機を含む複数の映像処理装置が存在するネットワーク環境に電気的に接続された映像処理装置であって、受信部と、前記受信部によって受信された放送コンテンツまたは記録媒体に記録された記録コンテンツのなかからユーザが任意に選択した視聴コンテンツ及びその視聴時期を登録した視聴計画とその視聴計画の画面データとを作成する視聴計画処理部と、前記視聴コンテンツの視聴に係る操作と前記視聴コンテンツ及びその視聴時期の前記視聴計画への登録に係る操作とを受け付ける操作部と、前記ネットワーク環境に接続された他の前記映像処理装置と通信する通信部と、前記視聴計画に係る画面データ信号を生成して出力する制御部と、を備え、前記制御部が、ユーザが登録しようとしている前記視聴コンテンツの視聴時期が前記視聴計画に既に登録済みの前記視聴コンテンツの視聴時期と重複する場合、前記ネットワーク環境に接続された他の前記映像処理装置のうちユーザが登録しようとした前記視聴時期に前記視聴コンテンツが視聴可能な映像処理装置の候補となる前記映像処理装置を記載した画面データ信号を生成して出力し、前記候補となる前記映像処理装置のなかからユーザが選択した前記映像処理装置に対して前記視聴コンテンツの視聴計画に係る情報とその視聴計画の登録指令とを前記通信部を介して送信することを特徴としている。
【０００８】
この構成によれば、ある映像処理装置において視聴計画が重複する場合であっても、ユーザは他の映像処理装置を利用することで視聴計画に登録しようとしている所望の視聴時期に視聴コンテンツを視聴できることを知り得る。したがって、ユーザは視聴コンテンツの視聴に対して他の映像処理装置を利用することで他のユーザとの視聴計画の重複を回避することができ、視聴計画が希望どおりとなる。
【０００９】
また、上記構成の映像処理装置において、複数の前記放送コンテンツを前記記録コンテンツとして記録する記録部を備えることを特徴としている。
【００１０】
この構成によれば、映像処理装置は複数の放送コンテンツを記録コンテンツとして記録する。したがって、視聴計画が希望どおりになることに加えて、ネットワーク環境に接続された複数の映像処理装置が効率的に活用される。
【００１１】
また、上記構成の映像処理装置において、前記視聴コンテンツの前記視聴計画への登録においてユーザ毎に優先順位を設けたことを特徴としている。
【００１２】
この構成によれば、例えば一日のうち視聴可能時間が比較的少ない人の視聴計画を優先できるようになる。したがって、複数のユーザ各々に対して、視聴計画が希望どおりになる。
【００１３】
また、上記構成の映像処理装置において、前記複数の映像処理装置のうち一の前記映像処理装置の前記視聴計画に登録された前記視聴コンテンツと他の前記映像処理装置の前記視聴計画に登録された前記視聴コンテンツとの入れ替えが可能であることを特徴としている。
【００１４】
この構成によれば、例えば一般的な家庭において自室に映像処理装置を備えていない人の視聴コンテンツと、自室に映像処理装置を備えている人のリビングに備えられた映像処理装置に対する視聴コンテンツと、の入れ替えができるようになる。したがって、視聴計画が希望どおりになることに加えて、ネットワーク環境に接続された複数の映像処理装置が効率的に活用される。
【発明の効果】
【００１５】
本発明の構成によれば、他のユーザとの視聴計画の重複を回避することができ、希望どおりの視聴計画を作成することが可能な映像処理装置を提供することができる。
【図面の簡単な説明】
【００１６】
【図１】本発明の第１実施形態の映像処理装置及びそのネットワーク環境を示す構成図である。
【図２】本発明の第１実施形態の映像処理装置が提供する電子番組ガイドの表示例を示す説明図である。
【図３】本発明の第１実施形態の映像処理装置で作成する視聴計画の表示例を示す説明図である。
【図４】本発明の第１実施形態の映像処理装置で作成する視聴計画への視聴番組の登録処理を示すフローチャートである。
【図５】本発明の第１実施形態の映像処理装置で作成する視聴計画に係る他の映像処理装置の視聴計画情報の取得処理を示すフローチャートである。
【図６】本発明の第１実施形態の映像処理装置で作成する視聴計画に係る他の映像処理装置の視聴計画への視聴番組の登録処理を示すフローチャートである。
【図７】本発明の第１実施形態の映像処理装置で作成する視聴計画の表示例を示す説明図であって、他の映像処理装置の選択状態を示すものである。
【図８】本発明の第１実施形態の映像処理装置で作成が完了した視聴計画の表示例を示す説明図である。
【図９】本発明の第２実施形態の映像処理装置で作成する視聴計画の表示例を示す説明図であって、優先順位の選択状態を示すものである。
【図１０】本発明の第２実施形態の映像処理装置で作成する視聴計画の表示例を示す説明図であって、視聴情報の入れ替えが完了した状態を示すものである。
【図１１】本発明の第３実施形態の映像処理装置で作成する視聴計画の表示例を示す説明図であって、視聴計画の入れ替えの選択状態を示すものである。
【図１２】本発明の第４実施形態の映像処理装置で作成する視聴計画の表示例を示す説明図であって、視聴計画欄の表示を映像処理装置毎に切り替え可能とした状態を示すものである。
【図１３】本発明の第４実施形態の映像処理装置で作成する視聴計画の表示例を示す説明図であって、視聴計画欄の表示を映像処理装置毎に切り替え可能とした状態を示すものである。
【発明を実施するための形態】
【００１７】
以下、本発明の実施形態を図１〜図１３に基づき説明する。なお説明では、放送コンテンツとして、テレビジョン放送局から提供されるテレビ番組を例として掲げ、テレビ番組（放送コンテンツ）を「放送番組」と称する。そして、記録部による「記録」を「録画」と称し、記録部が記録する「記録コンテンツ」を「録画番組」と称する。さらに、ユーザが視聴したい「視聴コンテンツ」を「視聴番組」と称する。
【００１８】
＜第１実施形態＞
最初に、本発明の第１実施形態の映像処理装置について、図１を用いてその構成を説明する。図１は映像処理装置及びそのネットワーク環境を示す構成図である。
【００１９】
映像処理装置１は例えばテレビジョン受信機であって、図１に示すように受信部であるチューナ部２、データ処理部３、表示部４、記録部５、通信部６、操作部７、制御部８、記憶部９、電子番組ガイド処理部１０及び視聴計画処理部１１を備える。映像処理装置１はユーザの放送視聴を実現するために、不図示のテレビジョン放送局から提供される放送信号から放送番組を再生する。
【００２０】
チューナ部２は例えばテレビジョン放送局から提供される放送信号の受信に利用される。チューナ部２は不図示のアンテナから受信した放送信号の選局及び復調を行う。
【００２１】
データ処理部３はチューナ部２から受け取った放送信号を表示部４や不図示のスピーカ、記録部５に送信する。また、データ処理部３は再生処理がなされた記録部５の録画番組に係る映像音声信号を表示部４及びスピーカに送信する。
【００２２】
表示部４はデータ処理部３から受け取った放送番組或いは録画番組に係る放送信号のうち映像として再生された信号を表示する。また、表示部４はメニュー画面、電子番組ガイド等の画面データを表示する。スピーカは音声信号を再生する。
【００２３】
記録部５はチューナ部２及びデータ処理部３を介して放送信号として取得した放送番組を録画する。記録部５は複数の放送番組を録画することができる。記録部５はＨＤＤ（Hard disk drive）や光ディスク装置などからなり、映像処理装置１に内蔵されているもののほか、外付けされていても良い。
【００２４】
通信部６にはネットワークケーブル１０２が電気的に接続される。映像処理装置１は通信部６及びネットワークケーブル１０２を介してネットワーク１１０に電気的に接続される。ネットワーク１１０は所謂ＬＡＮ（Local Area Network）である。なお、ネットワーク１１０への接続方法としてはネットワークケーブル１０２を用いた有線接続のほか、無線接続や電力線を用いた低周波電力線通信による接続であっても良い。
【００２５】
ネットワーク１１０には映像処理装置１（図１の「ＴＶ１」）のほか、他の映像処理装置１１２（図１の「ＴＶ２」）、他の映像処理装置１１３（図１の「ＴＶ３」）が通信可能に電気的に接続される。他の映像処理装置１１２、１１３は映像処理装置１の記録部５に録画される録画番組や電子番組ガイド、視聴計画などに係るデータを共用することができる。また、他の映像処理装置１１２、１１３は放送番組の視聴や録画、再生、さらに電子番組ガイド等の画面データの作成や表示に係る機能も映像処理装置１と同様に有する。
【００２６】
映像処理装置１や他の映像処理装置１１２、１１３はネットワーク１１０を介して相互で用いるデータの送信及び受信が可能である。なおここでは、ネットワーク１１０に映像処理装置１、他の映像処理装置１１２、１１３の３台の映像処理装置が接続されていることとしたが、この構成は一例であって、４台以上の映像処理装置が接続されていても良い。
【００２７】
操作部７は映像処理装置１の筐体表面や不図示のリモコンに設けられた複数の各種操作キーを備える。例えば、操作部７はユーザによる放送番組の視聴や録画、再生に係る操作、電子番組ガイドや視聴計画などに係る操作を受け付ける。
【００２８】
制御部８は不図示の演算部やその他の電子部品で構成され、記憶部９等に予め記憶、入力されたプログラム、データに基づき、映像処理装置１の各構成要素から情報を得るとともにそれら構成要素の動作を制御して一連の放送信号の受信処理、録画処理、再生処理及び出力処理を実現する。制御部８は電子番組ガイド処理部１０及び視聴計画処理部１１を備える。なおここでは、制御部８が電子番組ガイド処理部１０及び視聴計画処理部１１を備える構成としているが、制御部８とは別にして電子番組ガイド処理部１０及び視聴計画処理部１１を備える構成であっても良い。
【００２９】
電子番組ガイド処理部１０は放送信号に含まれる電子番組ガイドデータから電子番組ガイドと、その電子番組ガイドの画面データとを作成する処理を行う。制御部８は電子番組ガイド処理部１０が作成した電子番組ガイドの画面データを表示部４に送信する。ユーザは表示部４の画面に映る電子番組ガイドを見て、操作部７を用いて視聴したい視聴番組に係る操作を行うことが可能である。
【００３０】
視聴計画処理部１１は放送番組または録画番組のなかからユーザが任意に選択した視聴番組の視聴時期を登録した視聴計画と、視聴計画の画面データとを作成する処理を行う。制御部８は視聴計画処理部１１が作成した視聴計画の画面データを表示部４に送信する。ユーザは視聴したい視聴番組の情報を、操作部７を用いて画面上で時間軸に沿って配列して独自の視聴計画を作成することが可能である。視聴計画としては、放送番組を放送時間帯に直接視聴する場合と、録画番組を任意の時間に視聴する場合とを登録し得る。
【００３１】
続いて、映像処理装置１で作成する視聴計画について、図２及び図３を用いて説明する。図２は映像処理装置が提供する電子番組ガイドの表示例を示す説明図、図３は映像処理装置で作成する視聴計画の表示例を示す説明図である。
【００３２】
映像処理装置１が提供する電子番組ガイド２０は、例えば図２に示す構成をなす。電子番組ガイド２０は、例えば横方向に並べられた複数のチャンネル欄２１（ｃｈ１〜ｃｈ５）毎に各番組が時系列に沿って縦方向に並べられた構成をなす。６以上のチャンネルの放送信号を受信できる場合、操作部７に設けた不図示の右キー等を押すことによりチャンネル欄２１を左方にスクロールさせ、ｃｈ６以降を表示部４の画面に表示させることができる。
【００３３】
図２に示す電子番組ガイド２０が表示されているときに、例えばユーザが操作部７を用いて番組「Ａ」にカーソルを合わせた状態で決定キーを押すといった操作を行うことで、番組「Ａ」に関する設定メニューウィンドウ２２を表示させることができる。そして、ユーザは設定メニューウィンドウ２２から番組「Ａ」の「視聴予約」、「録画予約」、「視聴計画」の登録ができるようになる。このようにして、ユーザが視聴番組の「視聴計画」の登録に係る操作を行うと、例えば図３に示すように視聴計画に係る情報欄である視聴計画欄３０がチャンネル欄２１に並べて表示される。
【００３４】
このとき、視聴計画処理部１１は視聴計画欄３０を視聴番組が属するチャンネル欄２１に隣接させて併記した視聴計画の画面データを作成し、制御部８がその視聴計画の画面データ信号を生成して表示部４に対して出力する。ユーザは表示部４の画面に映る視聴番組のチャンネル欄２１と、視聴計画欄３０とが併記された画像を見ることができる。
【００３５】
視聴計画欄３０は、例えば縦方向に並べられた日付毎に視聴時間枠が横方向に並べられた構成をなす。視聴計画欄３０として表示部４の画面に表示されていない日付或いは視聴時間枠の視聴計画を表示させたい場合、操作部７に設けた不図示の上下キー、左右キー等を押すことにより所望の日付或いは視聴時間枠の視聴計画を画面に表示させることができる。
【００３６】
ここでは、ユーザが、図２に示すチャンネル「ｃｈ２」の視聴番組「Ａ」の視聴計画の登録に係る操作を行うものとする。すると、映像処理装置１は、図３に示すようにチャンネル「ｃｈ２」のチャンネル欄２１の右方に隣接して、例えば２０１３年２月１６日から２月２１日までの日付毎に午後４時から午後７時までの３時間の視聴時間枠を視聴計画欄３０として表示部４に表示する。なお、視聴計画欄３０に表示される日付や視聴時間枠の詳細は例えば視聴番組「Ａ」の実際の放送時間帯を中心として設定され、表示されるが、その設定は適宜変更が可能である。
【００３７】
図３の視聴計画欄３０における２０１３年２月１８日午後５時台に記載された番組「Ｂ」の網掛け部は、他のユーザによる視聴計画３１が既に登録されていることを示す。そして、図３は、ユーザが新たに視聴計画に登録しようとしている視聴番組「Ａ」の視聴時期が、他のユーザが視聴計画３１に既に登録済みの視聴番組「Ｂ」の視聴時期と重複していることを示す。
【００３８】
このとき、制御部８はネットワーク１１０に接続された他の映像処理装置１１２、１１３のうちユーザが登録しようとした視聴時期に視聴番組「Ａ」が視聴可能な映像処理装置の候補となる映像処理装置を記載した画面データ信号を生成して表示部４に対して出力する。さらに、制御部８は視聴番組「Ａ」が視聴可能な映像処理装置の候補となる映像処理装置のなかからユーザが選択した映像処理装置に対して視聴番組「Ａ」の視聴計画に係る情報とその視聴計画の登録指令とを通信部６を介して送信する。
【００３９】
このような映像処理装置１で作成する視聴計画への視聴番組の登録処理について、図３に加えて、図４〜図６に示すフローに沿って図７及び図８を用いて説明する。図４は視聴計画への視聴番組の登録処理を示すフローチャート、図５は他の映像処理装置の視聴計画情報の取得処理を示すフローチャート、図６は他の映像処理装置の視聴計画への視聴番組の登録処理を示すフローチャートである。図７は視聴計画の表示例を示す説明図であって、他の映像処理装置の選択状態を示すもの、図８は作成が完了した視聴計画の表示例を示す説明図である。
【００４０】
映像処理装置１（ＴＶ１）において、ユーザが視聴番組「Ａ」の視聴計画に係る情報を入力すると（図４のスタート）、制御部８はユーザが登録しようとしている視聴番組「Ａ」の視聴時期が視聴計画３１に既に登録済みの視聴番組の視聴時期と重複するか否かを判別する（ステップ＃１０１）。
【００４１】
視聴番組「Ａ」の視聴時期が重複しない場合（ステップ＃１０１のＮｏ）、制御部８は視聴番組「Ａ」の視聴時期を視聴計画に登録するよう視聴計画処理部１１に指令を送り、視聴番組「Ａ」及びその視聴時期を視聴計画に登録させる（ステップ＃１０２）。そして、制御部８は表示部４に視聴計画の登録結果を表示させ（ステップ＃１０３）、視聴計画への視聴番組「Ａ」の登録処理を終了する（図４のエンド）。
【００４２】
一方、ステップ＃１０１において、視聴番組「Ａ」の視聴時期が例えば図３に示すように視聴計画３１に既に登録済みの視聴番組「Ｂ」の視聴時期と重複した場合（ステップ＃１０１のＹｅｓ）、制御部８はネットワーク１１０に接続する他の映像処理装置１１２（ＴＶ２）、映像処理装置１１３（ＴＶ３）が所有する視聴計画情報を取得する（ステップ＃１０４）。ステップ＃１０４では、他の映像処理装置１１２、１１３において図５のフローで示す視聴計画情報の取得処理が実行される。
【００４３】
ここで、制御部８はネットワーク１１０に接続する他の映像処理装置１１２、１１３を起動させる信号を他の映像処理装置１１２、１１３に送信した後、各々が所有する視聴計画情報の取得要求に係る信号を他の映像処理装置１１２、１１３に送信する。このとき、映像処理装置１はネットワーク１１０を介して他の映像処理装置１１２、１１３にＷＯＬ（Wake on LAN）信号を送信する。ネットワーク１１０が電力線で構成される場合、映像処理装置１は電力線を介して起動信号を送信する。
【００４４】
他の映像処理装置１１２（ＴＶ２）、映像機器１１３（ＴＶ３）では、映像処理装置１（ＴＶ１）から送信された視聴計画情報の取得要求を受信すると（図５のスタート）、各々自機の視聴計画情報として視聴計画における視聴番組の登録数を取得する（ステップ＃２０１）。次に、他の映像処理装置１１２、１１３は各々の視聴計画情報を映像処理装置１に対して送信し（ステップ＃２０２）、視聴計画情報の取得処理を終了する（図５のエンド）。
【００４５】
次に、図４に戻りステップ＃１０５において、映像処理装置１の制御部８はネットワーク１１０に接続された他の映像処理装置１１２、１１３が視聴計画に利用可能であることと、ステップ＃１０４で取得した他の映像処理装置１１２、１１３の視聴計画情報としての視聴計画における視聴番組の登録数と、を記載した画面データ信号を生成して出力し、表示部４に図７に示す選択ウィンドウ３２として表示させる。視聴計画における視聴番組の登録数は他の映像処理装置１１２、１１３において視聴計画が重複し易いか否かのユーザの判断材料となる。
【００４６】
続いて、制御部８は視聴番組「Ａ」の視聴を行う映像処理装置の選択に係る操作をユーザから受け付ける（ステップ＃１０６）。ここでは、ユーザが例えば他の映像処理装置１１２（ＴＶ２）を選択したものとする。
【００４７】
次に、制御部８は他の映像処理装置１１２（ＴＶ２）に対して視聴番組「Ａ」及びその視聴時期を視聴計画に登録させる（ステップ＃１０７）。ここで、制御部８は他の映像処理装置１１２に対して視聴番組「Ａ」の視聴計画情報とその視聴計画の登録指令とを通信部６を介して送信する。ステップ＃１０７では、図６のフローで示す他の映像処理装置１１２の視聴計画への視聴番組「Ａ」の登録処理が試みられる。
【００４８】
他の映像処理装置１１２（ＴＶ２）では、視聴番組「Ａ」の視聴計画情報とその視聴計画の登録指令とを受信すると（図６のスタート）、ユーザが登録しようとしている視聴番組「Ａ」の視聴時期が映像処理装置１１２の視聴計画に既に登録済みの視聴番組の視聴時期と重複するか否かを判別する（ステップ＃３０１）。
【００４９】
視聴番組「Ａ」の視聴時期が映像処理装置１１２の視聴計画に既に登録済みの視聴番組の視聴時期と重複しない場合（ステップ＃３０１のＮｏ）、映像処理装置１１２は視聴番組「Ａ」及びその視聴時期を視聴計画に登録する（ステップ＃３０２）。そして、映像処理装置１１２は映像処理装置１に対して登録完了に係る信号を送信する（ステップ＃３０３）。
【００５０】
一方、ステップ＃３０１において、視聴番組「Ａ」の視聴時期が映像処理装置１１２の視聴計画に既に登録済みの視聴番組の視聴時期と重複した場合（ステップ＃３０１のＹｅｓ）、映像処理装置１１２は映像処理装置１に対して登録不可に係る信号を送信する（ステップ＃３０４）。
【００５１】
ステップ＃３０３或いはステップ＃３０４の後、他の映像処理装置１１２の視聴計画への視聴番組「Ａ」の登録処理を終了する（図６のエンド）。
【００５２】
次に、図４に戻りステップ＃１０８において、映像処理装置１の制御部８は他の映像処理装置１１２の視聴計画への視聴番組「Ａ」の登録結果を表示部４に表示させる。他の映像処理装置１１２の視聴計画に視聴番組「Ａ」が登録できた場合、制御部８は例えば図８に示す視聴計画欄３０を表示部４に表示させる。図８に示すように、視聴計画３１に既に登録済みの視聴番組「Ｂ」を示す枠部の位置及び色彩と、視聴計画３１に新たに登録した視聴番組「Ａ」を示す枠部の位置及び色彩とが互いに異なる。すなわち、各々の視聴計画が映像処理装置１或いは他の映像処理装置１１２という異なる映像処理装置に登録された視聴計画であることを表している。
【００５３】
次に、制御部８は視聴計画の登録のやり直しをするか否か選択をユーザから受け付ける（ステップ＃１０９）。例えば、図６に示す他の映像処理装置１１２の視聴計画への視聴番組「Ａ」の登録処理において「登録不可」となった場合など、ステップ＃１０５に戻って視聴番組「Ａ」の視聴計画への登録のやり直しをすることができる（ステップ＃１０９のＹｅｓ）。
【００５４】
ステップ＃１０９において視聴番組「Ａ」の視聴計画への登録のやり直しをしない場合（ステップ＃１０９のＮｏ）制御部８は視聴計画への視聴番組「Ａ」の登録処理を終了する（図４のエンド）。
【００５５】
上記のように、本発明の実施形態の映像処理装置１は、自機を含む複数の映像処理装置１１２、１１３が存在するネットワーク１１０に電気的に接続された映像処理装置である。映像処理装置１の制御部８は、ユーザが登録しようとしている例えば視聴番組「Ａ」の視聴時期が視聴計画３１に既に登録済みの例えば視聴番組「Ｂ」と重複する場合、ネットワーク１１０に接続された他の映像処理装置１１２、１１３のうちユーザが登録しようとした視聴時期に視聴番組「Ａ」が視聴可能な映像処理装置の候補となる映像処理装置１１２、１１３を記載した画面データ信号を生成して出力し、表示部４に表示させる。さらに制御部８は、ユーザが選択した映像処理装置１１２に対して視聴番組「Ａ」の視聴計画に係る情報とその視聴計画の登録指令とを送信する。これにより、映像処理装置１において視聴計画が重複する場合であっても、ユーザは他の映像処理装置１１２を利用することで視聴計画に登録しようとしている所望の視聴時期に視聴番組「Ａ」を視聴できることを知り得る。したがって、ユーザは視聴番組「Ａ」の視聴に対して他の映像処理装置１１２を利用することで他のユーザとの視聴計画の重複を回避することができ、視聴計画を希望どおりにすることが可能である。
【００５６】
また、映像処理装置１は複数の放送番組を録画番組として録画する記録部５を備えるので、視聴計画が希望どおりになることに加えて、ネットワーク１１０に接続された複数の映像処理装置を効率的に活用することが可能である。
【００５７】
＜第２実施形態＞
次に、本発明の第２実施形態の映像処理装置について、図９及び図１０を用いてその構成を説明する。図９は映像処理装置で作成する視聴計画の表示例を示す説明図であって、優先順位の選択状態を示すもの、図１０は視聴計画の表示例を示す説明図であって、視聴情報の入れ替えが完了した状態を示すものである。なお、この実施形態の基本的な構成は先に説明した第１実施形態と同じであるので、第１実施形態と共通する構成要素には前と同じ符号を付し、図面の記載及びその説明を省略するものとする。
【００５８】
第２実施形態の映像処理装置１では、視聴番組の視聴計画への登録においてユーザ毎に優先順位が設けられている。ユーザの優先順位とは、例えば視聴計画が重複した場合に、優先順位の高い人から映像処理装置１、他の映像処理装置１１２、他の映像処理装置１１３という順に視聴計画が割り当てられるようになっている。ユーザの優先順位に係る情報は記憶部９等に予め記憶される。
【００５９】
制御部８は視聴番組の視聴計画への登録時や登録後に、図９に示すように表示部４に選択ウィンドウ３３を表示させ、ユーザによる優先順位に従うか否かの選択を受け付ける。例えば、図９の状態のように、優先順位の低い人の視聴番組「Ｂ」が映像処理装置１の視聴計画に既に登録済みであり、優先順位の高い人の視聴番組「Ａ」を他の映像処理装置１１２の視聴計画に登録しようとしているものとする。ここで、ユーザが優先順位に従うことを選択すると、図１０に示すように、優先順位の低い人の視聴番組「Ｂ」の視聴計画と、優先順位の高い人の視聴番組「Ａ」の視聴計画と、が入れ替わる。
【００６０】
この構成によれば、例えば一日のうち視聴可能時間が比較的少ない人の視聴計画を優先させることができる。したがって、複数のユーザ各々に対して、視聴計画を希望どおりにすることが可能である。
【００６１】
＜第３実施形態＞
次に、本発明の第３実施形態の映像処理装置について、図１１を用いてその構成を説明する。図１１は映像処理装置で作成する視聴計画の表示例を示す説明図であって、視聴計画の入れ替えの選択状態を示すものである。なお、この実施形態の基本的な構成は先に説明した第１及び第２実施形態と同じであるので、それらの実施形態と共通する構成要素には前と同じ符号を付し、図面の記載及びその説明を省略するものとする。
【００６２】
第３実施形態の映像処理装置１では、ネットワーク１１０に接続された複数の映像処理装置のうち映像処理装置１の視聴計画に登録された視聴番組と他の映像処理装置１１２、１１３の視聴計画に登録された視聴番組との入れ替えが可能になっている。この視聴計画の入れ替えは先に説明したユーザの優先順位などといった予め設定された条件とは関係なく、任意に実行することが可能である。
【００６３】
制御部８は視聴番組の視聴計画への登録後に、図１１に示すように表示部４に選択ウィンドウ３４を表示させ、ユーザによる視聴計画を入れ替えるか否かの選択を受け付ける。ここで、ユーザが視聴計画を入れ替えることを選択すると、図１０に示すように、視聴番組「Ｂ」の視聴計画と、視聴番組「Ａ」の視聴計画と、が入れ替わる。
【００６４】
この構成によれば、例えば一般的な家庭において自室に映像処理装置を備えていない人の視聴番組と、自室に映像処理装置を備えている人のリビングに備えられた映像処理装置に対する視聴番組と、の入れ替えができるようになる。したがって、視聴計画が希望どおりになることに加えて、ネットワーク１１０に接続された複数の映像処理装置を効率的に活用することが可能である。
【００６５】
＜第４実施形態＞
次に、本発明の第４実施形態の映像処理装置について、図１２及び図１３を用いてその構成を説明する。図１２及び図１３は映像処理装置で作成する視聴計画の表示例を示す説明図であって、視聴計画欄の表示を映像処理装置毎に切り替え可能とした状態を示すものである。なお、この実施形態の基本的な構成は先に説明した第１実施形態と同じであるので、第１実施形態と共通する構成要素には前と同じ符号を付し、図面の記載及びその説明を省略するものとする。
【００６６】
第４実施形態の映像処理装置１では、図１２及び図１３に示すように表示部４に表示される視聴計画欄３０が映像処理装置毎に切り替え可能になっている。例えば図１２に示すように、視聴計画欄３０の上部の映像処理装置１（ＴＶ１）に対応するタブ部を選択すると、視聴計画欄３０として映像処理装置１の視聴計画が表示部４に表示される。一方、例えば図１３に示すように、視聴計画欄３０の上部の他の映像処理装置１１２（ＴＶ２）に対応するタブ部を選択すると、視聴計画欄３０として映像処理装置１１２の視聴計画が表示部４に表示される。
【００６７】
この構成によれば、複数の映像処理装置の視聴計画を各々個別のページに表示することができる。すなわち、表示部４に表示する視聴計画に係る情報を増加させることができる。したがって、ユーザは視聴計画の登録などの操作時に視聴計画に係る多くの情報を確認することが可能になり、視聴計画に係る操作性が向上する。
【００６８】
以上、本発明の実施形態につき説明したが、本発明の範囲はこれに限定されるものではなく、発明の主旨を逸脱しない範囲で種々の変更を加えて実施することができる。
【００６９】
例えば、第１〜第４の各実施形態を組み合わせて用いても良い。
【００７０】
また、本発明の映像処理装置１はテレビジョン受信機に限定されるわけではなく、他の電気機器であっても良い。例えば、映像処理装置１は放送番組の映像を表示する表示部を備えていない例えばＨＤＤレコーダのような記録再生装置や、表示部及び記録部を備えていない例えばセットトップボックスのような電気機器であっても良い。
【００７１】
また、他の映像処理装置１１２、１１３はテレビジョン受信機に限定されるわけではなく、映像処理装置１から映像信号を受信して表示できれば他の電気機器であっても良い。例えば、他の映像処理装置１１２、１１３はパーソナルコンピュータやタブレット端末、スマートフォン等であっても良い。
【産業上の利用可能性】
【００７２】
本発明は放送コンテンツの視聴と、その記録及び再生が可能な映像処理装置において利用可能である。
【符号の説明】
【００７３】
１    映像処理装置
２    チューナ部（受信部）
４    表示部
５    記録部
６    通信部
７    操作部
８    制御部
９    記憶部
１０    電子番組ガイド処理部
１１    視聴計画処理部
【図１】
2015019206.tif 000003
【図２】
2015019206.tif 000004
【図３】
2015019206.tif 000005
【図４】
2015019206.tif 000006
【図５】
2015019206.tif 000007
【図６】
2015019206.tif 000008
【図７】
2015019206.tif 000009
【図８】
2015019206.tif 000010
【図９】
2015019206.tif 000011
【図１０】
2015019206.tif 000012
【図１１】
2015019206.tif 000013
【図１２】
2015019206.tif 000014
【図１３】
2015019206.tif 000015